【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
少なくとも２個の重合済み単位の１種以上のウレタンオリゴマーを含む化学組成物であって、前記オリゴマーが、
（ａ）１種以上の多官能性イソシアネート化合物、
（ｂ）１種以上のポリオール、
（ｃ）フルオロカーボンモノアルコール、置換されているか、または非置換の長鎖炭化水素モノアルコールおよびそれらの混合物からなる群から選択された１種以上のモノアルコール、
（ｄ）式Ｘ−Ｒ1−Ｓｉ−（Ｙ）3
（式中、Ｘは、−ＮＨ2、−ＳＨ、−ＯＨまたは−ＮＲＨからなる群から選択されたイソシアネート反応性基であり、Ｒは、フェニル、直鎖および分岐の脂肪族、脂環式および脂肪族エステル基からなる群から選択され、
Ｒ1は、アルキレン、ヘテロアルキレン、アラルキレンまたはヘテロアラルキレン基であり、
各Ｙは独立して、ヒドロキシル；アルコキシ、アシルオキシ、ヘテロアルコキシ、ヘテロアシルオキシ、ハロおよびオキシムからなる群から選択された加水分解性部分；またはフェニル、脂環式、直鎖脂肪族および分岐鎖脂肪族からなる群から選択された非加水分解性部分であり、少なくとも１個のＹは加水分解性部分である）
の１種以上のシランおよび
（ｅ）１種以上のイソシアネート反応性基を含むＵＶ吸収剤および１種以上のイソシアネート反応性基を含むＨＡＬＳからなる群から選択された１種以上の安定剤
の反応生成物を含む化学組成物。
【請求項２】
少なくとも２個の重合済み単位の１種以上のウレタンオリゴマーを含む化学組成物であって、前記オリゴマーが、
（ａ）「デスモドール（Ｄｅｓｍｏｄｕｒ）」（登録商標）Ｎ−３３００、
（ｂ）２，２−ビス（ヒドロキシメチル）プロピオン酸、
（ｃ）Ｃ4Ｆ9ＳＯ2Ｎ（ＣＨ3）ＣＨ2ＣＨ2ＯＨ、
（ｄ）３−アミノプロピルトリエトキシシランおよび
（ｅ）
【化１】
2007507598.tif 000001
の反応生成物を含む化学組成物。
【請求項３】
（ａ）少なくとも２個の重合済み単位を含むオリゴマーであって、前記各重合済み単位がウレタン基を含み、前記オリゴマーが（ｉ）１個以上の共有結合パーフルオロアルキル基または１個以上の共有結合パーフルオロヘテロアルキル基および（ｉｉ）１個以上の共有結合シリル基で置換されているオリゴマーおよび
（ｂ）前記オリゴマーに共有結合されている少なくとも１種の安定剤
を含む化学組成物。
【請求項４】
請求項１、２または３に記載の化学組成物および希釈剤を含む塗料組成物。
【手続補正２】
【補正対象書類名】明細書
【補正対象項目名】０００５
【補正方法】変更
【補正の内容】
【０００５】
本発明の第二の態様において、少なくとも２個の重合済み単位の１種以上のウレタンオリゴマーを含む化学組成物であって、前記オリゴマーが、
（ａ）「デスモドール（Ｄｅｓｍｏｄｕｒ）」（登録商標）Ｎ−３３００、
（ｂ）２，２−ビス（ヒドロキシメチル）プロピオン酸、
（ｃ）Ｃ4Ｆ9ＳＯ2Ｎ（ＣＨ3）ＣＨ2ＣＨ2ＯＨ、
（ｄ）３−アミノプロピルトリエトキシシランおよび
（ｅ）
【化２】
2007507598.tif 000002
の反応生成物を含む化学組成物に関する。
本発明の第三の態様において、（ａ）少なくとも２個の重合済み単位を含むオリゴマーであって、前記各重合済み単位がウレタン基を含み、前記オリゴマーが（ｉ）１個以上の共有結合パーフルオロアルキル基または１個以上の共有結合パーフルオロヘテロアルキル基および（ｉｉ）１個以上の共有結合シリル基で置換されているオリゴマーおよび
（ｂ）前記オリゴマーに共有結合されている少なくとも１種の安定剤
を含む化学組成物に関する。
本発明の第二の態様において、前記第一〜第三のいづれかの化学組成物および希釈剤を含む塗料組成物に関する。
その他の態様において、本発明は、（ａ）少なくとも２個の重合済み単位を含むオリゴマーであって、前記各重合済み単位がウレタン基を含み、前記オリゴマーが（ｉ）１個以上の共有結合パーフルオロアルキル基または１個以上の共有結合パーフルオロヘテロアルキル基および（ｉｉ）１個以上の共有結合シリル基で置換されているオリゴマーおよび
（ｂ）ＵＶ吸収剤およびＨＡＬＳからなる群から選択され、前記オリゴマーに共有結合されている少なくとも１種の安定剤
を含む化学組成物を提供する。
【手続補正３】
【補正対象書類名】明細書
【補正対象項目名】０１６６
【補正方法】変更
【補正の内容】
【０１６６】
本発明に関連する発明の態様として以下のものが挙げられる。
［第１の態様］
少なくとも２個の重合済み単位の１種以上のウレタンオリゴマーを含む化学組成物であって、前記オリゴマーが、
（ａ）１種以上の多官能性イソシアネート化合物、
（ｂ）１種以上のポリオール、
（ｃ）フルオロカーボンモノアルコール、置換されているか、または非置換の長鎖炭化水素モノアルコールおよびそれらの混合物からなる群から選択された１種以上のモノアルコール、
（ｄ）式Ｘ−Ｒ1−Ｓｉ−（Ｙ）3
（式中、Ｘは、−ＮＨ2、−ＳＨ、−ＯＨまたは−ＮＲＨからなる群から選択されたイソシアネート反応性基であり、Ｒは、フェニル、直鎖および分岐の脂肪族、脂環式および脂肪族エステル基からなる群から選択され、
Ｒ1は、アルキレン、ヘテロアルキレン、アラルキレンまたはヘテロアラルキレン基であり、
各Ｙは独立して、ヒドロキシル；アルコキシ、アシルオキシ、ヘテロアルコキシ、ヘテロアシルオキシ、ハロおよびオキシムからなる群から選択された加水分解性部分；またはフェニル、脂環式、直鎖脂肪族および分岐鎖脂肪族からなる群から選択された非加水分解性部分であり、少なくとも１個のＹは加水分解性部分である）
の１種以上のシランおよび
（ｅ）１種以上のイソシアネート反応性基を含むＵＶ吸収剤および１種以上のイソシアネート反応性基を含むＨＡＬＳからなる群から選択された１種以上の安定剤
の反応生成物を含む化学組成物。
［第２の態様］
前記オリゴマーは（ｆ）１個以上の水可溶化基および少なくとも１個のイソシアネート反応性基を含む１種以上の水可溶化化合物の反応生成物を更に含む、第１の態様の化学組成物。
［第３の態様］
前記多官能性イソシアネート化合物はジイソシアネートまたはトリイソシアネートである、第２の態様の化学組成物。
［第４の態様］
前記多官能性イソシアネート化合物はジイソシアネートであり、前記ポリオールはジオールとトリオールの混合物である、第３の態様の化学組成物。
［第５の態様］
前記多官能性イソシアネート化合物はトリイソシアネートであり、前記ポリオールはジオールである、第３の態様の化学組成物。
［第６の態様］
前記フルオロケミカルモノアルコールは、式Ｒf−Ｚ−Ｒ2−ＯＨ
（式中、Ｒfはパーフルオロアルキル基またはパーフルオロヘテロアルキル基であり、
Ｚは、共有結合、スルホンアミド基、カルボキサミド基、カルボキシル基またはスルホニル基から選択された接続基であり、
Ｒ2は１〜１４個の炭素原子の二価の直鎖または分岐鎖のアルキレン、シクロアルキレンまたはヘテロアルキレン基である）
の化合物である、第２の態様の化学組成物。
［第７の態様］
前記Ｒfは炭素数２〜６のパーフルオロアルキル基である、第６の態様の化学組成物。
［第８の態様］
前記モノアルコールは非置換長鎖炭化水素モノアルコールである、第２の態様の化学組成物。
［第９の態様］
前記水可溶化化合物は、式Ｗ−Ｒ1−Ｘ
（式中、Ｗは１個以上の水可溶化基であり、
Ｘは、−ＮＨ2、−ＳＨ、−ＯＨおよび−ＮＲＨからなる群から選択されたイソシアネート反応性基であり、Ｒは、フェニル、直鎖および分岐の脂肪族、脂環式および脂肪族エステル基からなる群から選択され、
Ｒ1は、アルキレン、ヘテロアルキレン、アラルキレンおよびヘテロアラルキレン基からなる群から選択される）
の化合物である、第２の態様の化学組成物。
［第１０の態様］
前記水可溶化化合物の前記水可溶化基は、カルボキシレート、スルフェート、スルホネート、ホスフェート、ホスホネート、アンモニウムおよび第四アンモニウム基からなる群から選択される、第２の態様の化学組成物。
［第１１の態様］
前記安定剤の前記イソシアネート反応性基はヒドロキシル基である、第１の態様の化学組成物。
［第１２の態様］
前記安定剤は、
【化３】
2007507598.tif 000003
からなる群から選択される、第１１の態様の化学組成物。
［第１３の態様］
少なくとも２個の重合済み単位の１種以上のウレタンオリゴマーを含む化学組成物であって、前記オリゴマーが、
（ａ）「デスモドール（Ｄｅｓｍｏｄｕｒ）」（登録商標）Ｎ−３３００、
（ｂ）２，２−ビス（ヒドロキシメチル）プロピオン酸、
（ｃ）Ｃ4Ｆ9ＳＯ2Ｎ（ＣＨ3）ＣＨ2ＣＨ2ＯＨ、
（ｄ）３−アミノプロピルトリエトキシシランおよび
（ｅ）
【化４】
2007507598.tif 000004
の反応生成物を含む化学組成物。
［第１４の態様］
（ａ）少なくとも２個の重合済み単位を含むオリゴマーであって、前記各重合済み単位がウレタン基を含み、前記オリゴマーが（ｉ）１個以上の共有結合パーフルオロアルキル基または１個以上の共有結合パーフルオロヘテロアルキル基および（ｉｉ）１個以上の共有結合シリル基で置換されているオリゴマーおよび
（ｂ）前記オリゴマーに共有結合されている少なくとも１種の安定剤
を含む化学組成物。
［第１５の態様］
前記オリゴマーは共有結合された１種以上の水可溶化基を更に含む、第１３の態様の化学組成物。
［第１６の態様］
前記水可溶化基はカルボキシレート基である、第１５の態様の化学組成物。
［第１７の態様］
前記オリゴマーは炭素数２〜６の共有結合された１種以上のパーフルオロアルキル基で置換されている、第１５の態様の化学組成物。
［第１８の態様］
前記オリゴマーは前記重合済み単位の主鎖内に１種以上のパーフルオロヘテロアルキレン基を更に含む、第１７の態様の化学組成物。
［第１９の態様］
第１３の態様の化学組成物および希釈剤を含む塗料組成物。
［第２０の態様］
前記希釈剤は、水、有機溶媒およびそれらの混合物からなる群から選択される、第１９の態様の塗料組成物。
［第２１の態様］
殺生物剤を更に含む、第１９の態様の塗料組成物。
［第２２の態様］
前記殺生物剤は殺ダニ剤である、第２１の態様の塗料組成物。
［第２３の態様］
アクリルポリマーまたはスチレンアクリルコポリマー樹脂を更に含む、第１９の態様の塗料組成物。
［第２４の態様］
その少なくとも１つの表面の一部が第１９の態様の塗料組成物で被覆される物品。
［第２５の態様］
前記表面は硬い表面である、第２４の態様の物品。
［第２６の態様］
前記硬い表面は、コンクリート、ガラス、セラミック、石積み、天然石、人造石および木材からなる群から選択される、第２５の態様の物品。
［第２７の態様］
前記硬い表面は多孔質である、第２５の態様の物品。
［第２８の態様］
基材表面に汚染剥離特性を付与する方法であって、
（ａ）第２０の態様の塗料組成物を被着させる工程および
（ｂ）放置して前記塗料組成物を硬化させる工程
を含む方法。
［第２９の態様］
前記基材は硬い基材または繊維質基材である、第２８の態様の方法。
本発明の種々の修正および変更は本発明の範囲および精神を逸脱せずに当業者に対して明らかになるであろう。本発明が本明細書に記載された例証的な実施形態および実施例によって不当に限定されることを意図していないし、本明細書で記載された特許請求の範囲によってのみ限定されることが意図された本発明の範囲と合わせて例のみとして前述した実施例および実施形態を提示していることは理解されるべきである。